(57)【要約】      （修正有）【課題】フリーラジカル及び不適当な飲食が招く体質の酸化現象に対抗することができる情報記憶機構を備えたエネルギー濾芯管を提供する。【解決手段】情報記憶機構を備えたエネルギー濾芯管１は、エネルギー濾芯管１の外部両端に進水管口５１と出水管口５２をそれぞれ設置し、エネルギー濾芯管１の内部には、情報記憶層２、５個のエネルギー元素層を設置し、エネルギー元素層は元素層３１、真珠層３２、エネルギー層３３、麦飯石層３４、黄金層３５である。エネルギー濾芯管１内部の情報記憶層２とエネルギー元素層の設置により、濾過された飲用水は、エネルギー濾芯管１を通過する時、ナノレベルプロセスと量子化を経た天然ミネラル、微量元素、人体に有益なエネルギー情報を水中に溶け込ませることができる。【選択図】図２
0003168343.tif 000002
【実用新案登録請求の範囲】
【請求項１】
エネルギー濾芯管の外部両端には、進水管口と出水管口をそれぞれ設置し、
前記エネルギー濾芯管の内部には、情報記憶層、少なくとも１個のエネルギー元素層を設置し、
前記情報記憶層と前記エネルギー元素層は、前記管体内部に層を成して積み重なることを特徴とする情報記憶機構を備えたエネルギー濾芯管。
【請求項２】
前記情報記憶層と前記エネルギー元素層には共に、複数の顆粒構造を設置することを特徴とする請求項１に記載の情報記憶機構を備えたエネルギー濾芯管。
【請求項３】
前記顆粒構造は、陶土、少なくとも１個の粉状構造を備え、
しかも前記陶土と前記粉状構造は、高温焼成し、固体顆粒構造を呈することを特徴とする請求項２に記載の情報記憶機構を備えたエネルギー濾芯管。
【請求項４】
前記情報記憶層の顆粒構造の粉状構造は、トルマリン粉、雲母粉、麦飯石粉、ゲルマナイト粉、方解石粉、琥珀粉、メノウ粉、陽起石粉、水晶粉、或いはヒスイ粉を備えることを特徴とする請求項３に記載の情報記憶機構を備えたエネルギー濾芯管。
【請求項５】
前記エネルギー元素層の顆粒構造の粉状構造は、ゲルマナイト粉、セレン粉、真珠粉、遠赤外線波長を備えるエネルギー鉱石粉、麦飯石層粉、或いは硫黄粉を備えることを特徴とする請求項４に記載の情報記憶機構を備えたエネルギー濾芯管。
【請求項６】
前記粉状構造は、ナノレベルプロセスを経て製造されたナノ粉状構造であることを特徴とする請求項５に記載の情報記憶機構を備えたエネルギー濾芯管。
【請求項７】
前記エネルギー元素層は、元素層、真珠層、エネルギー層、麦飯石層、或いは黄金層で、前記元素層の顆粒構造は、陶土、ゲルマナイト粉、セレン粉を備え、
前記真珠層の顆粒構造は、陶土、真珠粉を備え、
前記エネルギー層の顆粒構造は、陶土、遠赤外線波長を備えるエネルギー鉱石粉を備え、前記麦飯石層の顆粒構造は、陶土、麦飯石粉を備え、
前記黄金層の顆粒構造は、陶土、黄金粉を備えることを特徴とする請求項６に記載の情報記憶機構を備えたエネルギー濾芯管。
【請求項８】
前記情報記憶層にはさらに、磁化器を設置することを特徴とする請求項７に記載の情報記憶機構を備えたエネルギー濾芯管。
【請求項９】
前記顆粒構造は、セラミックビーズで、
前記磁化器は、高い磁場強度を備える磁石であることを特徴とする請求項８に記載の情報記憶機構を備えたエネルギー濾芯管。
【請求項１０】
前記エネルギー濾芯管の内部には、上から下へと順番に層毎に積み重なり、前記情報記憶層、前記元素層、前記真珠層、前記エネルギー層、前記麦飯石層、前記黄金層を設置し、前記情報記憶層のセラミックビーズは、陶土、トルマリン粉、雲母粉、麦飯石粉、ゲルマナイト粉、方解石粉、琥珀粉、メノウ粉、陽起石粉、水晶粉、ヒスイ粉を備えることを特徴とする請求項９に記載の情報記憶機構を備えたエネルギー濾芯管。
【考案の詳細な説明】
【技術分野】
【０００１】
本考案は情報記憶機構を備えたエネルギー濾芯管に関し、特に情報記憶構造を備えたエネルギー濾芯管に関する。
【背景技術】
【０００２】
国連は、２００３年６月「世界環境デー」に、「発展途上国で発生しているあらゆる疾病と死において、８０％は水と関係があり、アフリカ地域では、８秒に一人の子供が汚染された水を原因とする疾病で亡くなっている」と声明を発表した。すなわち、水質汚染は早くから、世界的な悪夢と認識されているのである。
【０００３】
水質汚染は、都市化或いは工業化が進んだ地区で発生するだけでなく、もともとは自然で素朴な生活を営んでいた農村でも、農薬を大量に使用するという状態に陥っている。台湾は世界第二の農薬使用国であり、それが及ぼす影響には、広く注目が集まっているが、一般人は、野菜や果物の残留農薬に強い関心を寄せているだけで、水に対する関心は薄い。しかし、実は、農薬は雨水に洗い流され、河川に流れ込み、或いは土壌に溶け込んだ後滲みだし、水源に対して深刻な汚染を引き起こしている。さらには、重金属汚染と酸性雨が水の安全性に及ぼす衝撃には、国境がないのである。
【０００４】
台湾では、日常生活に用いる水を供給するために、早くから上水道管を用いた、各家庭への給水が広く普及している。しかし、上水道水の清潔で衛生的な水質と適度な酸/アルカリ度を確保するため、上水道水の製造過程では、ミョウバンが加えられている。これにより、水中の雑物と顆粒状に凝結し、沈殿させることで濾過することができる。この後には、塩素を加え、消毒、殺菌を行う。最後に、石灰水を加えて、酸/アルカリ度を調節する。そのため、上水道水の多くには、わずかの塩素と大量の炭酸カルシウム、炭酸マグネシウム、炭酸カリウムなどの化学物質と他の有機汚染物質を含んでいる。そして、これらは人体にとって好ましくないものである。もし、これを長期間にわたり摂取し続ければ、血栓、重金属中毒などの病態を引き起こし、発ガンの恐れさえある。
【０００５】
このため、多くの家庭では、浄水/ろ過設備を設置している。しかし、現在市販されている浄水器は、水を清潔にすることに重点が置かれており、その保健効果はなおざりにされている。そのため、上水道水に対して簡単な濾過、雑菌の抑制ができるだけで、水中の不純物、或いは有害物質を完全に除去、吸着することができないばかりか、人体にとってなくてはならないミネラル及び微量元素を濾過してしまっている。しかも、人体に、より吸収され易い微小分子である水分子構造を提供することができない。
本考案は、従来の浄水器の上記した欠点に鑑みてなされたものである。  
【考案の概要】
【考案が解決しようとする課題】
【０００６】
本考案が解決しようとする課題は、情報記憶層とエネルギー元素層を内部に設置することで、多重の濾芯構造により濾過された後の飲料水が、エネルギー濾芯管を通過する時、ナノレベルプロセスと量子化を経た天然のミネラル、微量元素、及び人体に有益なエネルギー情報が水中に溶け込み、これにより人体は、フリーラジカル及び不適当な飲食が招く体質の酸化現象に対抗することができる情報記憶機構を備えたエネルギー濾芯管を提供することである。
【課題を解決するための手段】
【０００７】
上記課題を解決するため、本考案は下記の情報記憶機構を備えたエネルギー濾芯管を提供する。
情報記憶機構を備えたエネルギー濾芯管は、エネルギー濾芯管の外部両端に、進水管口と出水管口をそれぞれ設置し、
該エネルギー濾芯管の内部には、情報記憶層、５個のエネルギー元素層を設置し、
該エネルギー元素層は、元素層、真珠層、エネルギー層、麦飯石層、黄金層である。  
【考案の効果】
【０００８】
本考案の情報記憶機構を備えたエネルギー濾芯管は、エネルギー濾芯管内部の情報記憶層とエネルギー元素層の設置により、多重濾芯構造を経て濾過された飲用水は、エネルギー濾芯管を通過する時、ナノレベルプロセスと量子化を経た天然ミネラル、微量元素、人体に有益なエネルギー情報を水中に溶け込ませることができ、こうしてフリーラジカル及び不適当な飲食が招く体質の酸化現象に対抗することができる。
【図面の簡単な説明】
【０００９】
【図１】本考案の立体図である。
【図２】本考案の模式図(一)である。
【図３】本考案の模式図(二)である。
【図４】本考案の使用状態図(一)である。
【図５】本考案の使用状態図(二)である。
【図６】本考案の実施例図である。
【考案を実施するための形態】
【００１０】
以下に図面を参照しながら本考案を実施するための最良の形態について詳細に説明する。
【実施例】
【００１１】
図１〜６に示すように、本考案情報記憶機構を備えたエネルギー濾芯管１の外部両端には、進水管口５１と出水管口５２をそれぞれ設置する。エネルギー濾芯管１の内部には、情報記憶層２、５個のエネルギー元素層を設置する。各エネルギー元素層は、元素層３１、真珠層３２、エネルギー層３３、麦飯石層３４、黄金層３５である。しかも、上から下へと順番に層毎に積み重なり、情報記憶層２、元素層３１、真珠層３２、エネルギー層３３、麦飯石層３４、黄金層３５を設置する。情報記憶層２には、磁化器２１を設置する。磁化器２１は、高い磁場強度を備える磁石を使用する。
【００１２】
情報記憶層２と各エネルギー元素層には共に、複数の顆粒構造４を設置する。顆粒構造４は、陶土４１、少なくとも１個の粉状構造４２を備える。陶土４１と粉状構造４２は、高温焼成し、固体顆粒構造を呈するセラミックビーズを形成する。粉状構造４２は、ナノレベルプロセスにより製造されたナノ粉状構造である。
【００１３】
情報記憶層２の顆粒構造４は、陶土４１、トルマリン粉、雲母粉、麦飯石粉、ゲルマナイト粉、方解石粉、琥珀粉、メノウ粉、陽起石粉、水晶粉、ヒスイ粉を備える。元素層３１の顆粒構造４は、陶土４１、ゲルマナイト粉、セレン粉を備える。真珠層３２の顆粒構造４は、陶土４１、真珠粉を備える。エネルギー層３３の顆粒構造４は、陶土４１、遠赤外線波長を備えるエネルギー鉱石粉を備える。麦飯石層３４の顆粒構造４は、陶土４１、麦飯石粉を備える。黄金層３５の顆粒構造４は、陶土４１、黄金粉を備える。
【００１４】
エネルギー濾芯管１内部の情報記憶層２、元素層３１、真珠層３２、エネルギー層３３、麦飯石層３４、黄金層３５中の各陶土４１が含む天然ミネラル、及びゲルマニウム、セレン、亜鉛、銅、マンガン、鉄、クロム、コバルト、カルシウム、カリウムなどの微量元素は、エネルギー濾芯管１内部を通過する飲用水との接触により、平均に放射され水中に溶け込む。こうして、人体が必要とするミネラルと微量元素を提供し、フリーラジカルと体質酸化の現象への対抗において、人体を手助けすることができる。同時に、ミネラルを活性化する作用をも備えるため、人の飲用に最適な１０〜１８度の硬度に、水の硬度を維持することもできる。さらに、水中の酸素溶解量を、一般水の平均値より高くすることができるため、二酸化炭素と適度に調節することで、細胞を活性化し、エネルギーを補充することができる。
【００１５】
一般的な上水道の水の分子は、磁化を行う前には、大きいため、人体細胞には吸収されにくい。そのため、高い磁場強度を備える磁石により、磁化を行い、水の分子を活性が強く、酸素溶解量が高く、マイナスの電位を備える小さな分子の水に転換させる。これによってまた、水の分子は安定した状態ともなる。小さな分子の水は、人体の細胞に進入し易いため、栄養分を送り、毒素を運び出し、細胞の代謝機能調節を助けることができる。
【００１６】
真珠粉は、１８種のアミノ酸、カルシウム、微量元素、多種の栄養成分を含んでおり、中でも、９種のアミノ酸は、必須アミノ酸である。よって、真珠粉は、消化器で消化された後、人体の各組織のニーズに応じて、各種違ったタイプのタンパク質に合成され、人体の発育と構成を維持し、細胞と組織の補修に力を発揮する。
【００１７】
天然エネルギー鉱石(二価三価鉄塩)は、プラスの磁場を持ち、また２９９０００ｋｃ／ｓｅｃの超高振動周波数天然エネルギーを備える。それが放射する共振波長は、人体の常温時における波長と同じである。そのため、人体の血行を促進し、筋骨を活発にし、疲労感を低下させる機能を備える。さらに、エネルギー鉱石は、７３種の希少な微量元素を含んでいる。しかも、エネルギー鉱石により濾過された飲用水は、人体波長と相当の微量波動エネルギーを備える。エネルギー鉱石が備える２９９０００ｋｃ／ｓｅｃの超高振動周波数が、水の分子に作用すると、長鎖水分子を切断し、新たに組み合わせて、短鎖水分子構造とし、こうして浸透性、通過力、導電性を備え、酸素溶解量が高いという特性を備える小さな分子の水を形成することができる。
【００１８】
麦飯石は、一種の火山岩で、人の健康に有益な鉄、マグネシウム、カリウム、ナトリウム、カルシウム、マンガン、亜鉛、リン、ケイ素、硫黄など２０種余りの微量元素とミネラルを含む。しかも、これを水質の濾過に用いると、水中の遊離塩素と重金属、雑物、有機物、細菌などの有毒物質を吸着し、分解して水質を浄化し、各種の微量元素と酸素を自然に放出し、水中のＰＨ値を弱アルカリ性に調節して、酸性体質を中和する。
【００１９】
黄金は、極めて安定し、しかもフリーラジカルへの抵抗能力を備えた物質である。しかも、ナノ化した黄金粉末が帯びる電位は、アミノ酸、タンパク質、ＤＮＡ、或いは抗体と安定的な結合を形成し、活性化の効果を発揮することができる。
【００２０】
エネルギー濾芯管１を通過した飲用水に溶け込んだ天然ミネラルと微量元素の、人体に対する作用は、以下の通りである。
クロムＣｒ  インシュリンと結合して血糖を低下させ、炭水化物と脂肪の代謝を活性化し、血糖を安定させ、中性脂肪とコレステロールを低下させる。
カルシウムＣａ  ＰＨ値のバランスを維持し、血糖を安定させ、骨粗しょう症を予防し、カルシウムとマグネシウムのバランスを取ることで精神を安定させ、骨と歯を強化し、血液の凝固を助ける。
マグネシウムＭｇ  ＰＨ値のバランスを維持し、血糖を安定させ、炭水化物の代謝を助け、心臓病を防止し、うつ病に効果があり、腎臓結石と胆石を予防し、便秘を改善する。
亜鉛Ｚｎ  血糖のバランスをとり、低血糖の発生を回避し、免疫システムを増強し、前立腺肥大と男性不妊症を予防し、傷の治りを促進する。
マンガンＭｎ  血糖のバランスをとり、低血糖の発生を回避し、酵素を活性化し、炭水化物、脂肪、タンパク質の代謝を活性化し、骨の生成を促進する。
有機ゲルマニウムＧｅ(特殊微量元素)  希少元素であるため非常に高価。ガンを予防し、Ｂ型肝炎ウィルスを治療し、免疫機能を活性化してインターフェロンを発生し、細胞の酸素含有量を増やし、身体の毒素排出と抗酸化を助ける。
セレンＳｅ  重金属水銀を吸着でき、無機ヒ素に対応でき、対外に排出し、細胞組織の酸化を防止し、ガンを防止し、抗老化作用を備え、心臓血管疾病を予防し、免疫能力を増やし、化学療法薬物の毒性を低下させることができる。水銀は、脂肪分解酵素の分解と脂肪の燃焼を妨げ、減量失敗の最大の元凶となるものである。
ナトリウムＮａ  カリウムとバランスをとり、水分と血液の酸／アルカリ値を調節する。
カリウムＫ  細胞内外のカリウム／ナトリウムバランスをとり、血圧を調整し、正常な筋肉の収縮を助け、心臓の鼓動を安定させ、低血糖の発生を回避する。
鉄Ｆｅ  赤血球中のヘモグロビンの成分で、酸素を全身に供給し、酸欠による鉄欠乏性貧血を予防する。
コバルトＣｏ  Ｂ１２を構成する元素で、悪性貧血を防止し、神経過敏と注意力及び記憶力の減退を予防する。
銅Ｃｕ  ヘモグロビンの合成を促進し、鉄の吸収を助け、コラーゲンの形成を促進する。
ケイ素Ｓｉ  コラーゲンが必要とするカルシウムを留め、結合組織を強化し、アルミニウム毒素と結合して体外へと排出する。
ニッケルＮｉ  尿素分解に必要な酵素の構成要素で、尿の分解を促進し、鉄の吸収を値高める。
【００２１】
カルシウム、リン、マグネシウムは、骨の成長と発育を促進する。カリウム、ナトリウム、塩素は、体液のバランスを調節し、安定を促進する。カルシウム、リン、硫黄は、身体器官と組織細胞の必要成分である。マグネシウム、鉄、リンは、エネルギーの放射を担当する酵素システムの重要な成分である。ヨウ素は、甲状腺機能に影響を及ぼし、しかも発育と関係がある。
銅、鉄は、赤血球組成の必要成分である。硫黄、コバルトは、体内で数種のビタミンの合成を助ける。亜鉛は、インシュリンの必要成分である。上記のように、すべてのミネラルは、人の健康に対して重大で、かつプラスの影響を及ぼすことができる。
【００２２】
エネルギー濾芯管１内部の情報記憶層２中の各セラミックビーズは、大量の天然ミネラルと微量元素を豊富に含むだけでなく、量子共鳴分析器により波動トンネル効果処理を施すため、濾過水流が情報記憶層２を通過すると、水の分子構造は、超微粒子状に新たに配列され、３〜６個の小さな分子に分割される。これは、一般的な水の分子に比べ、より容易に、細胞の層を次々に通り貫け、分子層、原子層へと進み、最後には、量子層へと深く達し、人体に吸収される。これにより、人体の栄養素溶解、毒素と老廃物の排除、新陳代謝率の向上を助け、こうして活力と生命力を回復することができる。波動トンネル効果処理を行う際には、人体健康を改善できる微弱な波動エネルギー情報コードを、記憶材料に移転することができ、これにより記憶材料が濾過水と接触する時にそれを放射し、水中に溶け込ませることができる。こうして、分子の小さな水はすべて、健康を改善する情報コードを帯びることになり、人体に吸収され易くなるばかりか、抵抗力を高め、薬物及び食品栄養の吸収を助け、野菜と果物中の農薬と重金属を分解し、心と体の特性を改善することができる。
【００２３】
よって、家庭に供給される上水道水は、エネルギー濾芯管１を含む多重濾過装置６による濾過を経ることで浄化され、自然な甘味がありおいしく、微小水分子を備える天然アルカリ性活性水となる。しかも、それは天然ミネラルと微量元素を豊富に含み、微弱な波動エネルギー情報コードを備えるため、人体に水分を補充する他、人体の健康を改善することができる優れた飲料水である。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２６】
１  エネルギー濾芯管
２  情報記憶層
２１  磁化器
３１  元素層
３２  真珠層
３３  エネルギー層
３４  麦飯石層
３５  黄金層
４  顆粒構造
４１  陶土
４２  粉状構造
５１  進水管口
５２  出水管口
６  濾過装置
６１  濾芯構造
【図１】
0003168343.tif 000003
【図２】
0003168343.tif 000004
【図３】
0003168343.tif 000005
【図４】
0003168343.tif 000006
【図５】
0003168343.tif 000007
【図６】
0003168343.tif 000008